(57)【要約】【課題】平常時の利便性や景観性を損なわず、災害発生時にのみ出現させて防潮堤として機能させることができるとともに低コストで設置でき、漂流物の衝突に対しても堤防全体としての機能を保持できる格納型防潮堤の堤供。【解決手段】上面を蓋で解放可能に閉じた格納溝３内に収容され、折りたたみ式の壁部材と、起立可能な壁支持部材とから構成され、必要時に壁支持部材を起立させるとともに壁部材を拡張させるようにし、壁部材は流体の注入によって所定の形状に膨らむ袋体１１をもって構成し、壁支持部材は袋体１１の前後及び頂部を囲む配置の支保工枠１０をもって構成し、袋体１１内への流体を注入して膨らませることによって支保工枠１０を起立させる構造とする。【選択図】図１
2016017270.tif 000002
【特許請求の範囲】
【請求項１】
上面を蓋で解放可能に閉じた格納溝内に収容され、折りたたみ式の壁部材と、起立可能な壁支持部材とから構成され、必要時に前記壁支持部材を起立させるとともに該壁支持部材に支持させて前記壁部材を拡張させるようにした格納型防潮堤において、
前記壁部材は流体の注入によって所定の形状に膨らむ袋体をもって構成されるとともに前記壁支持部材は前記袋体の前後及び頂部を囲む配置の支保工枠をもって構成され、前記袋体内への流体を注入して該袋体を膨らませることによって前記支保工枠が起立されるようにしたことを特徴とする格納型防潮堤。
【請求項２】
前記支保工枠と袋体とは互いに連結されており、該支保工枠によってその起立時に前記袋体の移動を阻止させるようにした請求項1に記載の格納型防潮堤。
【請求項３】
前記壁部材を構成する袋体は、その内部に防潮堤体法線方向に独立した流体充填室が隔壁を隔てて形成され、その各流体充填室毎に流体注入口を備え、該流体注入口に流体充填室内方向側のみへの流れを可能とする逆止弁を備えた請求項１又は２の何れか１に記載の格納型防潮堤。
【請求項４】
前記袋体は複数の流体充填室を、流体充填室間隔壁を隔てて連続した形状をなし、各流体充填室の底部は上底と下底とを間隔を隔てて配置した二重底とし、該上下底間を前記流体注入路とし、前記上底に前記逆止弁付きの流体注入口を備えた請求項３に記載の格納型防潮堤。
【請求項５】
前記二重底間に前記各流体充填室に対応させた配置に二重底間隔壁を設け、該二重底間隔壁に逆止弁付きの連通孔を備えた請求項４に記載の格納型防潮堤。
【請求項６】
前記支保工枠は、複数のリンクがヒンジ部を介して折り畳み可能に組み立てられて構成され、該支保工枠の起立後には、前記ヒンジ部が折り畳み不能にロックされるようにした請求項１〜５の何れか１に記載の格納型防潮堤。
【請求項７】
前記支保工枠は、全体が折り畳み不能な剛構造に形成され、防潮堤法線方向側に起立倒伏可能に下端部を前記格納溝底部に枢支させている請求項１〜５に記載の格納型防潮堤。
【請求項８】
前記支保工枠は、前記格納溝の底部に設置したアンカーに支持されている請求項１〜７の何れか１に記載の格納型防潮堤。
【発明の詳細な説明】
【技術分野】
【０００１】
本発明は、津波や高潮発生に備えて海岸や河川の陸側上面に形成した格納溝内に収納しておき、発生した津波や高潮に備えて立ち上げることができる格納型防潮堤に関する。
【背景技術】
【０００２】
津波・高潮災害を軽減する海岸構造物として、防波堤、護岸、防潮堤などがあり、これらの防壁部材は主に鉄筋コンクリート（以下ＲＣと記す）構造によって構築されている。ＲＣはコンクリート強度や鉄筋の配筋を自在に変えられるため、災害時に想定する津波や高波の波高、設計波力に対応する堤防高さおよび堤防強度を設定することができる。
【０００３】
しかし、ＲＣによる対策構造物を陸上に建設すると、対策工位置では敷地利用ができなくなると共に、陸側から海上への視野が阻まれるといった景観上の問題もある。
【０００４】
また、平常時の景観を阻害しないものとして、河川における流路工や洪水対策としての可撓膜式の膨張堤防の技術がある（例えば特許文献１）。しかし、これらの技術は、津波や高波といった強い波力を伴う事象に対しては、強度面で課題が残されている。
【０００５】
津波や高波に対し、敷地の利便性や景観性を阻害せず、波力にも対応した関連技術としては陸上フラップゲート（例えば特許文献２，３）がある。しかし、この技術は１０ｍ程度の延長スパンを想定しているため、長大な堤防延長を想定した対策には適さず、建設コストが割高となるという問題がある。
【０００６】
一方、長大な堤防延長を想定したものとして、折り畳み式の防潮堤（例えば特許文献４）が堤案されている。これは、平常時は設置個所に倒した支柱と展開可能に折り畳まれた蛇腹状の壁体とから構成され、必要時に支柱を起立させ、蛇腹状の壁体を支柱に沿って展開させる構造となっている。
【先行技術文献】
【特許文献】
【０００７】
【特許文献１】特開平９−１３９３９号公報
【特許文献２】特開２００３−１２９６９３号公報
【特許文献３】特開２０１３−１００６８１号公報
【特許文献４】特許第５２７４４３８号公報
【発明の開示】
【発明が解決しようとする課題】
【０００８】
上述した特許文献４のような長大な堤防延長を想定した、折り畳み式の防潮堤では、支柱の立ち上げ及び蛇腹状の壁体の展開にウインチを使用しているため、長大な防潮堤とした場合防潮堤の立ち上げのための設備が大掛かりとなり、コスト高となるという問題がある。
【０００９】
本発明はこのような従来技術の問題に鑑み、平常時の利便性や景観性を損なわず、災害発生時にのみ出現させて防潮堤として機能させることができ、非常時に出現させるための設備も多くを要せず、低コストで設置でき、災害時に懸念される漂流物の衝突に対しても、堤防全体としての機能を保持できる格納型防潮堤の堤供を目的としてなされたものである。
【課題を解決するための手段】
【００１０】
上述の如き従来の問題を解決するための請求項１に記載の発明の特徴は、上面を蓋で解放可能に閉じた格納溝内に収容され、折りたたみ式の壁部材と、起立可能な壁支持部材とから構成され、必要時に前記壁支持部材を起立させるとともに該壁支持部材に支持させて前記壁部材を拡張させるようにした格納型防潮堤において、前記壁部材は流体の注入によって所定の形状に膨らむ袋体をもって構成されるとともに前記壁支持部材は前記袋体の前後及び頂部を囲む配置の支保工枠をもって構成され、前記袋体内への流体を注入して該袋体を膨らませることによって前記支保工枠が起立されるようにしたことにある。
【００１１】
請求項２に記載の発明の特徴は、請求項１の構成に加え、前記支保工枠と袋体とは互いに連結されており、該支保工枠によってその起立時に前記袋体の移動を阻止させるようにしたことにある。
【００１２】
請求項３に記載の発明の特徴は、請求項１又は２の構成に加え、前記壁部材を構成する袋体は、その内部に防潮堤体法線方向に独立した流体充填室が隔壁を隔てて形成され、その各流体充填室毎に流体注入口を備え、該流体注入口に流体充填室内方向側のみへの流れを可能とする逆止弁を備えたことにある。
【００１３】
請求項４に記載の発明の特徴は、請求項３の構成に加え、前記袋体は複数の流体充填室を、流体充填室間隔壁を隔てて連続した形状をなし、各流体充填室の底部は上底と下底とを間隔を隔てて配置した二重底とし、該上下底間を前記流体注入路とし、前記上底に前記逆止弁付きの流体注入口を備えたことにある。
【００１４】
請求項５に記載の発明の特徴は、請求項４の構成に加え、前記二重底間に前記各流体充填室に対応させた配置に二重底間隔壁を設け、該二重底間隔壁に逆止弁付きの連通孔を備えたことにある。
【００１５】
請求項６に記載の発明の特徴は、請求項１〜５の何れかの構成に加え、前記支保工枠は、複数のリンクがヒンジ部を介して折り畳み可能に組み立てられて構成され、該支保工枠の起立後には、前記ヒンジ部が折り畳み不能にロックされるようにしたことにある。
【００１６】
請求項７に記載の発明の特徴は、請求項１〜５の何れかの構成に加え、前記支保工枠は、全体が折り畳み不能な剛構造に形成され、防潮堤法線方向側に起立倒伏可能に下端部を前記格納溝底部に枢支させたことにある。
【００１７】
請求項８に記載の発明の特徴は、請求項１〜７の何れかの構成に加え、前記支保工枠は、前記格納溝の底部に設置したアンカーに支持されていることにある。
【発明の効果】
【００１８】
本発明は請求項１に記載ように、上面を蓋で解放可能に閉じた格納溝内に収容され、折りたたみ式の壁部材と、起立可能な壁支持部材とから構成され、必要時に前記壁支持部材を起立させるとともに該壁支持部材に支持させて前記壁部材を拡張させるようにした格納型防潮堤において、前記壁部材は流体の注入によって所定の形状に膨らむ袋体をもって構成されるとともに前記壁支持部材は前記袋体の前後及び頂部を囲む配置の支保工枠をもって構成され、前記袋体内への流体を注入して該袋体を膨らませることによって前記支保工枠が起立されるようにしたことにより、平常時は折り畳まれた状態で格納溝内に収納され、津波等の発生時に流体を注入することで起立する構造であるため、景観を阻害せず、格納溝上のスペースを供用することも可能であり、更に、単純な材料構成であるため、安価に製作でき、工場製作部分も多いため工期も短くできる。
【００１９】
本発明は、請求項２に記載のように、支保工枠と袋体とは互いに連結されており、該支保工枠によってその起立時に前記袋体の移動を阻止させるようにしたことにより、流体注入により膨らんだ袋体と支保工枠が一体となって防潮堤を構成するものであるため、簡易な構造でありながら、強度の高い防潮堤となる。
【００２０】
本発明は、請求項３に記載のように、壁部材を構成する袋体は、その内部に防潮堤体法線方向に独立した流体充填室が隔壁を隔てて形成され、その各流体充填室毎に流体注入口を備え、該流体注入口に流体充填室内方向側のみへの流れを可能とする逆止弁を備えたことにより、各流体充填室は、流体の注入後には、他の流体充填室内とは隔絶された状態となり、一部の流体充填室に浮遊物衝突等による損傷が生じても、他の部分にその影響を及ぼさず、損傷した部分も、支保工枠に支持されているため防潮壁としての機能を大きく損なうことがない。
【００２１】
本発明は、請求項４に記載のように、袋体は複数の流体充填室を、流体充填室間隔壁を隔てて連続した形状をなし、各流体充填室の底部は上底と下底とを間隔を隔てて配置した二重底とし、該上下底間を前記流体注入路とし、前記上底に前記逆止弁付きの流体注入口を備えたことにより、袋体内の仕切によって流体注入路が構成されるため、配管が省略でき低コストで構築できる。
【００２２】
本発明は、請求項５に記載のように、二重底間に前記各流体充填室に対応させた配置に二重底間隔壁を設け、該二重底間隔壁に逆止弁付きの連通孔を備えたことにより、各流体充填室間の隔絶状態をより高いものとできる。
【００２３】
本発明は、請求項６に記載のように、支保工枠は、複数のリンクがヒンジ部を介して折り畳み可能に組み立てられて構成され、該支保工枠の起立後には、前記ヒンジ部が折り畳み不能にロックされるようにしたことにより、折り畳み、起立可能な支保工枠の構造が簡易なものとなり、低コストで構築できる。
【００２４】
本発明は、請求項７に記載のように、前記支保工枠は、全体が折り畳み不能な剛構造に形成され、防潮堤法線方向側に起立倒伏可能に下端部を前記格納溝底部に枢支させたことにより、支保工枠の構造が簡易なものとなるとともに津波や高潮の寄せ波方向側の強度を高くすることができる。
【００２５】
本発明は、請求項８に記載のように支保工枠は、前記格納溝の底部に設置したアンカーに支持されていることにより、袋体にかかった波力は支保工枠を通してアンカーの引き抜き耐力が受け持つこととなり高耐力のものとすることができる。
【図面の簡単な説明】
【００２６】
【図１】本発明に係る格納型防潮堤の格納時の概略を示す断面図である。
【図２】同上の展開膨張時の状態を示す断面図である。
【図３】同上の斜視図である。
【図４】同上の部分縦断面図である。
【図５】本発明における支保工枠の支柱のロック機構付ヒンジ構造の一例を示す側面図である。
【図６】（ａ）同上のロック機構によりロックされた状態の縦断面図、（ｂ）は、ロック解除状態の縦断面図である。
【図７】本発明における支保工枠の支柱と上部梁との間のロック機構付ヒンジ構造の一例を示す側面図である。
【図８】（ａ）同上のロック機構によりロックされた状態の縦断面図、（ｂ）は、ロック解除状態の縦断面図である。
【図９】本発明の他の実施例の概略を示す説明図である。
【図１０】本発明の更に他の例の起立状態の概略を示す縦断側面図である。
【図１１】同上の格納状態を示す縦断正面図である。
【図１２】同上の変形例を示す格納状態時の縦断正面図である。
【発明を実施するための最良の形態】
【００２７】
本発明に係る格納型防潮堤の実施の形態を図面について説明する。
【００２８】
図において符号１は、本発明に係る格納型防潮堤を示している。この格納型防潮堤１は津波や高潮が押し寄せる可能性のある海岸線域や河川域の陸地２に形成された格納溝３内に折りたたまれて収納されており、平常時は、格納溝３の開口部が蓋４によって閉鎖され、上側が陸地２の表面と同様に道路又はその一部等として共用できる空間となっている。
【００２９】
この格納型防潮堤１は、支保工枠１０をもって構成され必要時に起立可能な壁支持部材と、内部に流体を注入することによって所定の形状に展開して膨らむ袋体１１による壁部材とから構成されている。この例の袋体１１は、流体注入による展開時に、防潮堤法線方向に長い長方体形状に形成したものを示している。
【００３０】
支保工枠１０は、前後の支柱１３，１３と、両支柱１３，１３の上端間に架け渡した上部梁１４とをもって構成され、起立状態時に両支柱１３，１３が袋体１１の前後壁部１１ａ，１１ｂの前後に起立し、上部梁１４が袋体１１の頂部壁１１ｃの上側に位置するように構成されている。
【００３１】
両支柱１３，１３は、図１〜図３に示すように上下一対のリンク１３ａ，１３ｂをヒンジ２０により折り畳み可能に連結されて構成されているとともに上側のリンク１３ａと上部梁１４の端部ともヒンジ２１により折り畳み可能に連結され、立ち上がり時に門型となるように組み立てられており、上部梁１４も支柱１３，１３とによってリンク機構を構成している。
【００３２】
各支柱１３を構成している下側リンク１３ｂの下端は、格納溝３の底部に設置したアンカー１５にヒンジ２２を介して折り畳み可能に連結されている。
【００３３】
支保工枠１０は、各ヒンジ２０，２１，２２によって上下リンク１３ａ，１３ｂ間、上リンク１３ａと上部梁１４との間及び下リンク１３ｂとアンカー１５との間が折り畳まれることによって図１に示すように格納溝３内に収容され、蓋４によって格納溝３の開口部が解放可能に閉じられている。
【００３４】
蓋４は図１、図２に示すように上部梁１４に固定されており、支保工枠１０の立ち上がりと共に上昇し、上部梁１４間を連結した天井板となるようになっている。尚、この蓋４は図には示してないが、支保工枠１０の立ち上がり動作によって海側に立ち上がるように構成してもよい。
【００３５】
ヒンジ２０〜２２は、支保工枠１０が所定の形状に立ち上がった際に所定の角度に達すると回動が停止しその角度を維持するようにロックするロック機構を備えている。
【００３６】
このロック機構は、例えば支柱１３を折り畳むためのヒンジ２０では、図５、図６に示すように、リンク１３ａ，１３ｂを、それぞれの先端の連結片部２４ａ，２４ｂを内外に重ねた状態でこれに連結軸２３を貫通させて回動可能に連結した構造とし、内側の連結片部２４ａにロックピン２５をスプリング２６によって押し出し方向に付勢した状態で設置されている。
【００３７】
一方、外側の連結片部２４ｂに前記ロックピン２５を嵌合するピン嵌合孔２７を備え、両リンク１３ａ，１３ｂが所定の角度に達した際に、ロックピン２５がピン嵌合孔２７に整合するようになっている。
【００３８】
そしてロックピン２５がピン嵌合孔２７に整合した位置に移動した時にスプリング２６による押出し力によりロックピン２５がピン嵌合孔２７内に押し出されて互いに嵌合することによって両リンク１３ａ，１３ｂ間が回動不能となるようなっている。
【００３９】
尚、アンカー１５と支柱１３との間のヒンジ２２も同様の構造となっている。
【００４０】
図７、図８は上部梁１４と支柱１３間のロック機構付のヒンジ２１を示しており、その構造は前述したリンク１３ａ，１３ｂ間のヒンジ構造と同様であるため、同一部分には同一符号を付して重複説明を省略する。
【００４１】
尚、これらのヒンジ２０〜２２のロック機構は、上記の構造の他、ヒンジ部分が所定の角度に達した際に回動不能とする構造であればよく、その他のロック機構を使用することができる。
【００４２】
支保工枠１０は、袋体１１がその内部へ流体が注入されることによって展開されて膨らむ力により立ち上がるようになっており、袋体１１と前後の支柱１３，１３及び上部梁１４とは適宜の複数個所において固定され、支保工枠１０が立ち上がった後は、袋体１１は支保工枠１０に支持され、内部の流体圧が低下しても、袋体１１の展開状態が維持され、且つ支保工枠１０によって袋体１１の移動が阻止されるようになっている。
【００４３】
壁部材を構成する袋体１１は、支保工枠１０の内側とほぼ同形の断面形状をしており、防潮堤体法線方向に長い形状となっている。この袋体１１内は、図４に示すように防潮堤体法線方向は独立した流体充填室３０が並べられた構造となっている。各流体充填室３０は、防潮堤体法線方向に長い袋体１１の内部をその長さ方向に直交する向きの隔壁３１ａによって仕切ることにより形成されている。
【００４４】
各流体充填室３０の底部は上底３２と下底３３とを間隔を隔てて配置した二重底となっており、この上下底３２，３３間を流体注入路３４としている。
【００４５】
上底３２には、流体注入路３４流体充填室３０に通じる流体充填室内注入口３５が形成され、この流体充填室内注入口３５に、流体注入路３４から流体充填室３０内方向側のみへの流れを可能とする逆止弁３６を備えている。
【００４６】
また、二重底間即ち、上下底３２，３３間には、前述した各流体充填室３０を構成している隔壁３１ａに対応させた配置に、二重底間隔壁３１ｂを設け、これに連通孔３７が形成され、その連通孔３７には、後述するコンプレッサーや給水ポンプ等の流体供給機４０によって流体注入路３４を通した流体充填室３０側への流れのみを可能とする逆止弁３８を設けている。
【００４７】
この袋体１１の一端側の二重底間の流体注入路３４に流体供給機４０から適宜の配管４１を通じて流体を圧入できるようになっている。流体供給機４０としては例えば圧力空気を供給するコンプレッサーが使用できるが、海水や河川の水を吸い上げて送り出す給水ポンプであってもよい。尚、袋体展開膨張のための流体としては、袋体膨張後の体積変化が極わずかである点では水が好ましいが、袋体膨張速度の点からは空気が好ましい。
【００４８】
尚、図には示してないが、袋体１１には、各流体充填室３０に開閉弁付きの排気口を設け、維持管理等のための袋体膨張テストや実際の津波発生時の対応等の際に膨張させた後、排気して折り畳み、再度格納状態に戻すことができるようになっている。
【００４９】
袋体１１の材料としては、使用環境によって変わるが、繊維強化樹脂膜、繊維強化合成ゴム膜等、可撓性と耐久性を備えたものを使用する。
【００５０】
このように構成される袋体１１は、平常時は内部に流体を充填していない状態で折り畳み、前述した支保工枠１０と共に格納溝３内に収納し、上面を蓋４で閉鎖し、通路等の空間として共用できるようにしておく。
【００５１】
そして、津波や高波が発生した際に、その到達前に流体供給機４０から袋体１１の流体注入路３４に袋体１１を展開膨張させるための流体を注入する。これによって逆止弁３８を通して各流体充填室３０下の流体注入路３４に流体が送り込まれ、逆止弁３６を通して各流体充填室３０に送り込まれて、流体充填室３０を展開膨張させる。
【００５２】
一旦流体充填室３０内に注入された流体は逆止弁３６によって逆流が防止されるため、袋体１１外から外力が加わっても展開状態が維持される。
【００５３】
また、仮に漂流物により一部の流体充填室３０に破損が生じたとしても、各流体充填室３０は、それぞれ逆止弁３６によって独立した密閉空間が形成されているため、他の流体充填室３０はこれに影響されない。
【００５４】
一方支保工枠１０は、袋体１１の膨張によってその内側から押し上げられる側の力が加わり、折りたたまれている状態から起立する。そして各ヒンジ２０〜２２がそれぞれ所定の角度に開かれると、ロック機構によってその角度を維持した状態にロックされ、所定の門型形状が維持される。
【００５５】
また、袋体１１は支保工枠１０に対して固定されているため、津波や高波の水圧に対し支保工枠１０が対抗し、膨張した袋体１１の移動が阻止される防潮堤となる。
【００５６】
更に、支保工枠１０は、アンカー１５に支持されているため、袋体１１にかかった波力は支保工枠を通してアンカーの引き抜き耐力が受け持つ。
【００５７】
尚、上述の例では、細長の袋体１１の一端側から流体供給機による流体を注入するようにしているが、端部に限らず中央部分の適宜個所から注入するようにしてもよく、また、１つの袋体１１に対して１箇所からの注入のみでなく、その中央部分と端部等、複数個所から流体を注入するようにしてもよい。
【００５８】
更に、１つの袋体１１の長さを数１０ｍ程度の長さに形成しておき、これらを支保工枠１０位置で互いに連接させておき、それぞれに個別の流体供給機による流体を注入させるようにしてもよい。
【００５９】
上述の例では流体充填室３０の底部を上下底３２，３３による二重底構造とし、その二重底内を流体注入路３４とした場合を示しているが、この他図９に示すように、袋体１１内には流体注入路を設けず、袋体１１外に配管或はダクトによる流体注入路４５を形成しておき、この流体注入路４５から逆止弁４６付きの分岐路４７を通じて袋体１１の各流体充填室３０に流体を注入させるようにしてもよい。
【００６０】
また、上述の例では支保工枠１０の立ち上がり状態時の形状を、直立した前後の支柱１３，１３とその上端間に架け渡した水平配置の上部梁１４からなる方形状の門型としているが、この他前後の支柱の両方又は片方を上端間が近づく方向に傾斜させた台形となるように構成してもよい。
【００６１】
更に、上述の例では支保工枠１０を、支柱１３，１３を蛇腹状に折り畳むことによっては、格納溝３内に収容するようにしているが、この他、図１０〜図１１に示すように、支保工枠全体を支柱１３，１３とその上に跨らせた上部梁１４を一体化させた剛構造となし、両支柱１３，１３の下端を格納溝３の底部のアンカー１５に対して起立・倒伏可能にヒンジ５０を介して枢支させ、防潮堤体法線方向側に倒伏させた時に格納溝３内に収納されるようにし、その支保工枠１０の内側に前述と同様に、袋体１１を固定し、その膨張によって立ち上げられるようにしてもよい。
【００６２】
尚、この場合、防潮堤等に形成されている陸閘に使用する場合は図１２に示すように、支保工枠１０の倒れ方向を一部逆向きとすることにより、端部が直立した格納型防潮堤とすることができ、比較的長さの短い陸閘５１等の解放部の遮蔽に使用することができる。
【符号の説明】
【００６３】
１  格納型防潮堤
２  陸地
３  格納溝
４  蓋
１０  支保工枠
１１  袋体
１１ａ  前壁部
１１ｂ  後壁部
１１ｃ  頂部壁
１３  支柱
１３ａ，１３ｂ  リンク
１４  上部梁
１５  アンカー
２０，２１，２２  ヒンジ
２３  連結軸
２４ａ，２４ｂ  連結片部
２５  ロックピン
２６  スプリング
２７  ピン嵌合孔
３０  流体充填室
３１ａ  隔壁
３１ｂ  二重底間隔壁
３２  上底
３３  下底
３４  流体注入路
３５  流体充填室内注入口
３６  逆止弁
３７  連通孔
３８  逆止弁
４０  流体供給機
４１  配管
４５  流体注入路
４６  逆止弁
４７  分岐路
５０  ヒンジ
５１  陸閘
【図１】
2016017270.tif 000003
【図２】
2016017270.tif 000004
【図３】
2016017270.tif 000005
【図４】
2016017270.tif 000006
【図５】
2016017270.tif 000007
【図６】
2016017270.tif 000008
【図７】
2016017270.tif 000009
【図８】
2016017270.tif 000010
【図９】
2016017270.tif 000011
【図１０】
2016017270.tif 000012
【図１１】
2016017270.tif 000013
【図１２】
2016017270.tif 000014